(57)【特許請求の範囲】
【請求項１】
グリップを一端部に有し、球状部を中間部に有し、スライドシャフトを他端部側に有し、このスライドシャフトを軸方向に移動可能とした棒状の操作レバーと、
前記操作レバーの球状部を揺動自在及び移動自在に内部に保持した円筒状のスリーブと、
前記スリーブを支持すると共に、前記スライドシャフトにより作動される揺動端子を内部に保持する箱状のケースと、を備え、
前記ケースは、
前記操作レバーを起立させた中立状態から、一方の方向に当該操作レバーが傾動するように、前記操作レバーの他端部側の移動方向を規制する第１ガイド穴を開口した第１ガイド板と、
前記操作レバーを起立させた中立状態から、前記一方の方向と少なくとも直交する方向に当該操作レバーが傾動するように、前記操作レバーの他端部側の移動方向を規制する第２ガイド穴を開口した第２ガイド板と、を有し、
前記操作レバーは、
当該操作レバーが傾動する一方の方向と少なくとも直交する方向と反対側に他端部から突出した第１アームと、
当該操作レバーが傾動する一方の方向と反対側に他端部から突出した第２アームと、を有し、
前記第１アームは、前記第１ガイド板に向かって突出した第１突起を末端部に有し、
前記第２アームは、前記第２ガイド板に向かって突出した第２突起を末端部に有し、
前記第１ガイド板は、前記第１突起に向かって突出した一組の第１山部を上面に有し、
前記第２ガイド板は、前記第２突起に向かって突出した一組の第２山部を上面に有し、
前記スリーブは、前記球状部に当接し、前記スライドシャフトが前記ケースの内部に向かう力を付勢する圧縮コイルばねを内部に有し、
前記圧縮コイルばねに抗して、前記操作レバーを引き上げた後に解放すると、前記第１突起が一組の前記第１山部の間の第１谷部に係合すると共に、前記第２突起が一組の前記第２山部の間の第２谷部に係合して、前記操作レバーを中立状態にロックするトグルスイッチ。
【請求項２】
前記揺動端子は、
前記操作レバーを一方の方向に傾動する方向と反対側に中心部から延びる第１腕部の末端部に形成した第１可動接点と、
前記操作レバーを前記一方の方向と少なくとも直交する方向と反対側に中心部から延びる第２腕部の末端部に形成した第２可動接点と、を有し、
前記ケースは、
前記第１可動接点と接触自在な第１固定接点と、
前記第２可動接点と接触自在な第２固定接点と、
前記揺動端子の中心部と接触した共通固定接点と、を底部に有する請求項１記載のトグルスイッチ。
【発明の詳細な説明】
【技術分野】
【０００１】
本発明は、トグルスイッチに関する。特に、操作レバーを起立させた中立状態でロック可能なトグルスイッチであって、一方の方向に傾倒した操作レバーを中立状態に復帰操作するときに、復帰方向に沿って、意図することなく、操作レバーを他方の方向に傾倒操作することを抑制できるトグルスイッチの構造に関する。
【背景技術】
【０００２】
一般に、トグルスイッチは、棒状の操作レバーをスイッチ本体から突出している。操作レバーを一方の方向又は他方に方向に傾倒することで、スイッチ本体の内部の接点を切り替えて、電路を開閉している。
【０００３】
このようなトグルスイッチの内、操作レバーを起立させた中立状態でロック可能なロック機構付きトグルスイッチが開示されている（例えば、特許文献１参照）。
【先行技術文献】
【特許文献】
【０００４】
【特許文献１】特開２００７−２５７９２７号公報
【発明の概要】
【発明が解決しようとする課題】
【０００５】
図８は、特許文献１に開示された従来技術によるロック機構付きトグルスイッチの縦断面図であり、操作レバーを一方の方向に傾倒した状態図である。本願の図８は、特許文献１の図１に相当している。図８を参照すると、従来技術によるロック機構付きトグルスイッチ（以下、トグルスイッチと略称する）９は、棒状の操作レバー９１、円筒状のスリーブ９２、箱状のケース９３を備えている。スリーブ９２とケース９３は、トグルスイッチ９のスイッチ本体９０を構成している。
【０００６】
図８を参照すると、操作レバー９１は、合成樹脂からなるグリップ９１ｇを一端部に取り付けている。グリップ９１ｇには、金属ブッシュ９１ｂを底部から圧入している。金属ブッシュ９１ｂは、雌ねじを中心部に形成している。一方、操作レバー９１は、金属ブッシュ９１ｂの雌ねじに螺合する雄ねじを一端部に形成している。これにより、操作レバー９１には、グリップ９１ｇを着脱自在に固定できる。
【０００７】
図８を参照すると、操作レバー９１は、その円柱状の軸部から膨出した球状部９１１を中間部に形成している。球状部９１１は、スリーブ９２の内部に揺動自在及び微少移動自在に保持されている。
【０００８】
又、図８を参照すると、操作レバー９１は、スライドシャフト９１ａを他端部に取り付けている。スライドシャフト９１ａは、操作レバー９１の軸方向にスライド自在に保持されている。更に、操作レバー９１は、圧縮コイルばね９１ｓを他端部側の内部に保持している。圧縮コイルばね９１ｓは、操作レバー９１の末端からスライドシャフト９１ａが突出する方向に力を付勢している。なお、スライドシャフト９１ａは、その突出端を円錐状に形成している。
【０００９】
図８を参照すると、スリーブ９２は、六角ナット９２ｎ、ワッシャ９２ｗ、及びオーリング９２ｒを備えている。スリーブ９２は、ねじ部９２１と台座部９２２で構成している。スリーブ９２は、ねじ部９２１に雄ねじを形成している。六角ナット９２ｎは、ねじ部９２１に螺合している。ワッシャ９２ｗは、ねじ部９２１に挿通している。オーリング９２ｒは、ねじ部９２１に装着している。
【００１０】
図８を参照して、ワッシャ９２ｗとオーリング９２ｒの間に、図示しないパネルを配置し、六角ナット９２ｎを締結することで、トグルスイッチ９をパネルに固定できる。又、オーリング９２ｒがパネルに密着することで、防塵又は防水できる。スリーブ９２のねじ部９２１には、平坦に形成されたキー溝９２ｋを形成している。キー溝９２ｋに対応するキーを形成した異形穴を図示しないパネルに開口することで、トグルスイッチ９を回り止めできる。
【００１１】
図８を参照すると、スリーブ９２は、圧縮コイルばね９２ｓ、オーリング９２ａ、及びストップリング９２ｂを内部に備えている。圧縮コイルばね９２ｓは、帯板状の線材を螺旋状に巻回している。圧縮コイルばね９２ｓは、オーリング９２ａを介して、球状部９１１に当接し、スライドシャフト９１ａがケース９３の内部に向かう力を付勢している。ストップリング９２ｂは、球状部９１１を球面軸受けすると共に、球状部９１１の下限位置を規定している。
【００１２】
図８を参照すると、ケース９３は、ケースカバー９３ｃとガイド板９３ｐを備えている。ケースカバー９３ｃは、ケース９３の上面を覆っている。又、ケースカバー９３ｃは、台座部９２２の底部をカシメ付けして、スリーブ９２を固定している。ガイド板９３ｐは、ケース９３の上部に固定している。ガイド板９３ｐは、操作レバー９１の他端部側の外周を案内するガイド穴９３０を中央部に開口している。
【００１３】
図８を参照すると、ケース９３は、導電性を有する揺動端子９４を内部に備えている。又、ケース９３は、揺動端子９４の中央部を揺動自在に支持する支持部材９４ｈを内部に配置している。揺動端子９４は、中央部から両翼に延びるアームの端部に第１可動接点９４１と第２可動接点９４２を設けている。一方、ケース９３は、第１固定接点９３１と第２固定接点９３２を底部に設けている。第１固定接点９３１及び第２固定接点９３２には、外部接続するための接続端子９３ｔを取り付けている。
【００１４】
図８に示すように、グリップ９１ｇを把持して、操作レバー９１を一方の方向に傾動すると、スライドシャフト９１ａに付勢されて、揺動端子９４を他端部側に傾倒できる。そして、第１可動接点９４１を第１固定接点９３１に接触できる。一方、グリップ９１ｇを把持して、操作レバー９１を他方の方向に傾動すると、スライドシャフト９１ａに付勢されて、揺動端子９４を一端部側に傾倒できる。そして、第２可動接点９４２を第２固定接点９３２に接触できる。
【００１５】
図８に示したトグルスイッチ９は、操作レバー９１を起立させた中立状態でロック可能なロック機構を更に備えている。図８を参照して、操作レバー９１は、傾動する方向と直交する方向に延びる一対のアーム（図示せず）を備えている。これらのアームは、操作レバー９１の他端部から相反する向きに突出している。そして、一対のアームは、下向きに突出する台形台状のロック用突起（図示せず）を末端部に形成している。
【００１６】
一方、図８を参照して、ガイド板９３ｐは、台形台状に突出した一組の山部（図示せず）を上面に形成している。一組の山部は、ガイド穴９３０の両翼に配置されている。ロック用突起は、一組の山部の間の谷部（図示せず）に陥没するように係合できる。
【００１７】
図８に示した状態から、グリップ９１ｇを把持して、圧縮コイルばね９２ｓの付勢力に抗して、操作レバー９１を引き上げると、一対のロック用突起は、一方の山部を乗り越えることができる。次に、操作レバー９１を起立した状態から、グリップ９１ｇを解放すると、圧縮コイルばね９２ｓに付勢されて、ロック用突起は、一組の山部の間の谷部に陥没できる。そして、操作レバー９１を中立状態でロックできる。
【００１８】
特許文献１に開示された従来技術によるトグルスイッチ９は、ロック機構を外部から確認することが困難であり、部外者の操作を抑制できるという効果がある。
【００１９】
しかし、従来技術によるトグルスイッチ９は、一方の方向に傾倒した操作レバーを中立状態に復帰操作するときに、復帰方向に沿って、意図することなく、操作レバーを他方の方向に傾倒操作することがある。このような、意図しない操作（いわゆる、誤操作）を抑制できるトグルスイッチが求められている。そして、以上のことが本発明の課題といってよい。
【００２０】
本発明は、このような課題に鑑みてなされたものであり、操作レバーを復帰方向に沿って、意図することなく、他方の方向に傾倒操作することを抑制できるトグルスイッチを提供することを目的とする。
【課題を解決するための手段】
【００２１】
本発明者らは、操作レバーを起立させた中立状態から、一方の方向に操作レバーが傾動するように、操作レバーを案内する第１ガイド穴を開口した第１ガイド板をスイッチ本体に設けると共に、操作レバーを起立させた中立状態から、一方の方向と少なくとも直交する方向に操作レバーが傾動するように、操作レバーを規制する第２ガイド穴を開口した第２ガイド板をスイッチ本体に設けることで、意図しない操作を抑制できることを見出し、これに基づいて、以下のような新たなトグルスイッチを発明するに至った。
【００２２】
（１）本発明によるトグルスイッチは、グリップを一端部に有し、球状部を中間部に有し、スライドシャフトを他端部側に有し、このスライドシャフトを軸方向に移動可能とした棒状の操作レバーと、前記操作レバーの球状部を揺動自在及び移動自在に内部に保持した円筒状のスリーブと、前記スリーブを支持すると共に、前記スライドシャフトにより作動される揺動端子を内部に保持する箱状のケースと、を備え、前記ケースは、前記操作レバーを起立させた中立状態から、一方の方向に当該操作レバーが傾動するように、前記操作レバーの他端部側の移動方向を規制する第１ガイド穴を開口した第１ガイド板と、前記操作レバーを起立させた中立状態から、前記一方の方向と少なくとも直交する方向に当該操作レバーが傾動するように、前記操作レバーの他端部側の移動方向を規制する第２ガイド穴を開口した第２ガイド板と、を有する。
【００２３】
（２）前記操作レバーは、当該操作レバーが傾動する一方の方向と少なくとも直交する方向と反対側に他端部から突出した第１アームと、当該操作レバーが傾動する一方の方向と反対側に他端部から突出した第２アームと、を有し、前記第１アームは、前記第１ガイド板に向かって突出した第１突起を末端部に有し、前記第２アームは、前記第２ガイド板に向かって突出した第２突起を末端部に有し、前記第１ガイド板は、前記第１突起に向かって突出した一組の第１山部を上面に有し、前記第２ガイド板は、前記第２突起に向かって突出した一組の第２山部を上面に有し、前記スリーブは、前記球状部に当接し、前記スライドシャフトが前記ケースの内部に向かう力を付勢する圧縮コイルばねを内部に有し、前記圧縮コイルばねに抗して、前記操作レバーを引き上げた後に解放すると、前記第１突起が一組の前記第１山部の間の第１谷部に係合すると共に、前記第２突起が一組の前記第２山部の間の第２谷部に係合して、前記操作レバーを中立状態にロックすることが好ましい。
【００２４】
（３）前記揺動端子は、前記操作レバーを一方の方向に傾動する方向と反対側に中心部から延びる第１腕部の末端部に形成した第１可動接点と、前記操作レバーを前記一方の方向と少なくとも直交する方向と反対側に中心部から延びる第２腕部の末端部に形成した第２可動接点と、を有し、前記ケースは、前記第１可動接点と接触自在な第１固定接点と、前記第２可動接点と接触自在な第２固定接点と、前記揺動端子の中心部と接触した共通固定接点と、を底部に有することが好ましい。
【発明の効果】
【００２５】
本発明によるトグルスイッチは、操作レバーを起立させた中立状態から、一方の方向に操作レバーが傾動するように、操作レバーの他端部側を規制する第１ガイド穴を開口した第１ガイド板と、操作レバーを起立させた中立状態から、一方の方向と少なくとも直交する方向に操作レバーが傾動するように、操作レバーの他端部側を規制する第２ガイド穴を開口した第２ガイド板を備えているので、一方の方向に傾倒した操作レバーを中立状態に復帰操作するときに、復帰方向に沿って、意図することなく、操作レバーを他方の方向に傾倒操作することを抑制できる。
【図面の簡単な説明】
【００２６】
【図１】本発明の一実施形態によるトグルスイッチの構成を示す縦断面図であり、操作レバーを起立させた中立の状態図である。
【図２】図１のＡ−Ａ矢視断面図であり、操作レバーを起立させた中立の状態図である。
【図３】前記実施形態によるトグルスイッチの要部の構成を示す斜視分解組立図である。
【図４】前記実施形態によるトグルスイッチの構成を示す平面図である。
【図５】前記実施形態によるトグルスイッチの要部の構成を示す正面図であり、操作レバーを起立させた中立の状態図である。
【図６】前記実施形態によるトグルスイッチの要部の構成を示す正面図であり、図５の状態から操作レバーを一方の方向に傾倒した状態図である。
【図７】図１のＡ−Ａ矢視断面図であり、図２の状態から操作レバーを一方の方向と直交する方向に傾倒した状態図である。
【図８】従来技術によるロック機構付きトグルスイッチの縦断面図であり、操作レバーを一方の方向に傾倒した状態図である。
【発明を実施するための形態】
【００２７】
以下、図面を参照して本発明を実施するための形態を説明する。
［トグルスイッチの構成］
最初に、本発明の一実施形態によるトグルスイッチの構成を説明する。
【００２８】
図１は、本発明の一実施形態によるトグルスイッチの構成を示す縦断面図であり、操作レバーを起立させた中立の状態図である。図２は、図１のＡ−Ａ矢視断面図であり、操作レバーを起立させた中立の状態図である。図３は、前記実施形態によるトグルスイッチの要部の構成を示す斜視分解組立図である。図４は、前記実施形態によるトグルスイッチの構成を示す平面図である。
【００２９】
（全体構成）
図１から図４を参照すると、本発明の一実施形態によるトグルスイッチ１０は、棒状の操作レバー１、円筒状のスリーブ２、箱状のケース３を備えている。スリーブ２とケース３は、トグルスイッチ１０のスイッチ本体１００を構成している。
【００３０】
図１から図４を参照すると、操作レバー１は、グリップ１ｇを一端部に有し、球状部１１を中間部に有し、スライドシャフト１ａを他端部側に有している。スライドシャフト１ａは、操作レバー１の軸方向に移動可能に保持されている。スリーブ２は、操作レバー１の球状部１１を揺動自在及び移動自在に内部に保持している。
【００３１】
図１又は図２を参照すると、ケース３は、スリーブ２を支持している。又、ケース３は、揺動端子４を内部に保持している。揺動端子４は、スライドシャフト１ａにより作動される。そして、ケース３は、第１ガイド板５と第２ガイド板６を備えている。図３を参照すると、第１ガイド板５には、第１ガイド穴５１を開口している。第２ガイド板６には、第２ガイド穴６１を開口している。
【００３２】
図１から図４を参照して、第１ガイド穴５１は、操作レバー１の他端部側を規制している。第１ガイド穴５１は、操作レバー１を起立させた中立状態から（図１参照）、一方の方向に操作レバー１が傾動するように（図１の想像線参照）、操作レバー１他端部側の移動方向を規制している。一方、第２ガイド穴６１は、操作レバー１の他端部側を規制している。第２ガイド穴６１は、操作レバー１を起立させた中立状態から（図２参照）、前記一方の方向と直交する方向に操作レバー１が傾動するように（図７参照）、操作レバー１他端部側の移動方向を規制している。
【００３３】
引き続き、実施形態によるトグルスイッチ１０の構成を説明する。図５は、前記実施形態によるトグルスイッチの要部の構成を示す正面図であり、操作レバーを起立させた中立の状態図である。
【００３４】
図６は、前記実施形態によるトグルスイッチの要部の構成を示す正面図であり、図５の状態から操作レバーを一方の方向に傾倒した状態図である。図７は、図１のＡ−Ａ矢視断面図であり、図２の状態から操作レバーを一方の方向と直交する方向に傾倒した状態図である。
【００３５】
（操作レバーの構成）
図１から図３を参照すると、操作レバー１は、合成樹脂からなるグリップ１ｇを一端部に取り付けている。グリップ１ｇには、金属ブッシュ１ｂを底部から圧入している。金属ブッシュ１ｂは、雌ねじを中心部に形成している。一方、操作レバー１は、金属ブッシュ１ｂの雌ねじに螺合する雄ねじを一端部に形成している。これにより、操作レバー１には、グリップ１ｇを着脱自在に固定できる。
【００３６】
図１から図３を参照すると、操作レバー１は、その円柱状の軸部から膨出した球状部１１を中間部に形成している。球状部１１は、スリーブ２の内部に揺動自在及び微少移動自在に保持されている。
【００３７】
図１から図３を参照すると、操作レバー１は、スライドシャフト１ａを他端部に取り付けている。スライドシャフト１ａは、操作レバー１の軸方向にスライド自在に保持されている。更に、操作レバー１は、圧縮コイルばね１ｓを他端部側の内部に保持している（図１参照）。圧縮コイルばね１ｓは、操作レバー１の末端からスライドシャフト１ａが突出する方向に力を付勢している。なお、スライドシャフト１ａは、その突出端を円錐状に形成している。
【００３８】
図３を参照すると、操作レバー１は、第１アーム１１ａと第２アーム１２ａを備えている。第１アーム１１ａは、操作レバー１の他端部から遠心方向に突出している。第１アーム１１ａは、操作レバー１が傾動する一方の方向と直交する方向（図４のＹ方向）と反対側に突出している。第２アーム１２ａは、操作レバー１の他端部から遠心方向に突出している。第２アーム１２ａは、操作レバー１が傾動する一方の方向（図４のＸ方向）と反対側に突出している。なお、第１アーム１１ａは、操作レバー１の他端部の上段に配置され、第２アーム１２ａは、操作レバー１の他端部の下段に配置されている。
【００３９】
図３を参照すると、第１アーム１１ａは、台形台状の第１突起１１ｔを末端部に形成している。第１突起１１ｔは、第１ガイド板５に向かって突出している。同様に、第２アーム１２ａは、台形台状の第２突起１２ｔを末端部に形成している。第２突起１２ｔは、第２ガイド板６に向かって突出している。
【００４０】
図３を参照すると、第１突起１１ｔは、第１ガイド板５に形成された、後述する一組の第１山部５ｍ・５ｍの間の第１谷部５ｃに係合できる。第２突起１２ｔは、第２ガイド板６に形成された、後述する一組の第２山部６ｍ・６ｍの間の第２谷部６ｃに係合できる。
【００４１】
図３を参照すると、操作レバー１は、円弧面の一部が平坦に形成された一対の第１平坦面１１ｆ・１１ｆを他端部に形成している。一対の第１平坦面１１ｆ・１１ｆは、相反する向きに向かっている。同様に、操作レバー１は、円弧面の一部が平坦に形成された一対の第２平坦面１２ｆ・１２ｆを他端部に形成している。一対の第２平坦面１２ｆ・１２ｆは、相反する向きに向かっている。つまり、操作レバー１の他端部は、その横断面が略四角形に形成されている。操作レバー１と第１ガイド板５との関係、及び操作レバー１と第２ガイド板６との関係については。後述する。
【００４２】
（スリーブの構成）
次に、スリーブ２の構成を説明する。図１又は図２及び図４を参照すると、スリーブ２は、六角ナット２ｎ、ワッシャ２ｗ、及びオーリング２ｒを備えている。スリーブ２は、ねじ部２１と台座部２２で構成している。スリーブ２は、ねじ部２１に雄ねじを形成している。六角ナット２ｎは、ねじ部２１に螺合している。ワッシャ２ｗは、ねじ部２１に挿通している。オーリング２ｒは、ねじ部２１に装着している。
【００４３】
図１を参照して、ワッシャ２ｗとオーリング２ｒの間に、図示しないパネルを配置し、六角ナット２ｎを締結することで、トグルスイッチ１０をパネルに固定できる。又、オーリング２ｒがパネルに密着することで、防塵又は防水できる。スリーブ２のねじ部２１には、平坦に形成されたキー溝２ｋを形成している。キー溝２ｋに対応するキーを形成した異形穴を図示しないパネルに開口することで、トグルスイッチ１０を回り止めできる。
【００４４】
図１又は図２を参照すると、スリーブ２は、圧縮コイルばね２ｓ、オーリング２ａ、及びストップリング２ｂを内部に備えている。圧縮コイルばね２ｓは、オーリング２ａを介して、球状部１１に当接し、スライドシャフト１ａがケース３の内部に向かう力を付勢している。ストップリング２ｂは、球状部１１を球面軸受けすると共に、球状部１１の下限位置を規定している。
【００４５】
（ケースの構成）
次に、ケース３の構成を説明する。図１又は図２及び図４を参照すると、ケース３は、ケースカバー３ｃとケース本体３ｈを備えている。ケースカバー３ｃは、ケース本体３ｈの上面を覆っている。又、ケースカバー３ｃは、台座部２２の底部をカシメ付けして、スリーブ２を固定している。第１ガイド板５は、ケース本体３ｈの上部に固定している。
【００４６】
図１又は図２を参照すると、ケース本体３ｈは、絶縁性を有するハウジング本体３１ｈと絶縁性を有するカバーハウジング３２ｈで構成している。ハウジング本体３１ｈに対して、カバーハウジング３２ｈは底部側から囲っている。
【００４７】
図１又は図２を参照すると、ハウジング本体３１ｈは、互いに向かい合う一対の押え部３１ａ・３１ａを内壁から突出している。第２ガイド板６をハウジング本体３１ｈの内部に導入して、第２ガイド板６の両端部を一対の押え部３１ａ・３１ａで押さえることができる。
【００４８】
図１又は図２を参照すると、カバーハウジング３２ｈは、互いに向かい合う一対の受け部３２ａ・３２ａを内壁の上端部から突出している。第２ガイド板６をハウジング本体３１ｈの内部に導入して、第２ガイド板６の両端部を一対の受け部３２ａ・３２ａで支持できる。
【００４９】
又、図２を参照すると、カバーハウジング３２ｈは、相反する向きに向かう一対のランス３２ｒ・３２ｒを外壁の上端部から突出している。ハウジング本体３１ｈに対して、カバーハウジング３２ｈを底部側から挿入し、一対のランス３２ｒ・３２ｒがハウジング本体３１ｈにも設けた係止開口に係止することで、ハウジング本体３１ｈとカバーハウジング３２ｈを分離困難に組み立てることができる。
【００５０】
（揺動端子の構成）
次に、揺動端子４の構成を説明する。図１又は図２を参照すると、ケース３は、導電性を有する揺動端子４を内部に備えている。又、ケース３は、揺動端子４の中央部を揺動自在に支持する支持部材３３を底部に配置している。揺動端子４は、中央部から平面視十字状に延びる第１腕部４１ａの末端部に第１可動接点４１を設けている（図１参照）。又、揺動端子４は、中央部から平面視十字状に延びる第２腕部４２ａの末端部に第２可動接点４２を設けている（図２参照）。
【００５１】
図１を参照して、第１腕部４１ａは、操作レバー１を一方の方向に傾動する方向（図４のＸ方向）と反対側に中心部から延びるように配置されている。図２を参照して、第２腕部４２ａは、操作レバー１を一方の方向と直交する方向（図４のＹ方向）と反対側に中心部から延びるように配置されている。
【００５２】
一方、図１を参照すると、ケース３は、第１可動接点４１と接触自在な第１固定接点３１を底部に設けている。又、図２を参照すると、ケース３は、第２可動接点４２と接触自在な第２固定接点３２を底部に設けている。図１又は図２を参照して、支持部材３３は、揺動端子４の中心部と接触した共通固定接点となっている。
【００５３】
図１又は図２を参照すると、第１固定接点３１には、第１接続端子３１ｔを取り付けている。第２固定接点３２には、第２接続端子３２ｔを取り付けている。支持部材３３には、共通接続端子３３ｔを取り付けている。第１接続端子３１ｔ、第２接続端子３２ｔ、及び共通接続端子３３ｔは、外部接続できる。
【００５４】
図１を参照して、中立状態からグリップ１ｇを把持して、操作レバー１を一方の方向に傾動すると（図４のＸ方向）、スライドシャフト１ａに付勢されて、第１腕部４１ａを他端部側に傾倒できる。そして、第１可動接点４１を第１固定接点３１に接触できる。一方、図２を参照して、中立状態からグリップ１ｇを把持して、操作レバー１を一方の方向と直交する方向に傾動すると（図４のＹ方向）、スライドシャフト１ａに付勢されて、第２腕部４２ａを他端部側に傾倒できる。そして、第２可動接点４２を第２固定接点３２に接触できる（図７参照）。このように、揺動端子４は、十字状に交差した腕部の端部が交互に昇降するシーソー式接点開閉機構を構成している。
【００５５】
（第１ガイド板及び第２ガイド板の構成）
次に、第１ガイド板５及び第２ガイド板６の構成を説明する。図３を参照すると、第１ガイド穴５１は、第１規制路５１ｃと第１誘導路５１ｄをクランク状に連通している。第１規制路５１ｃの幅ｗ１は、操作レバー１の他端部に形成された幅Ｄより僅かに大きく形成されている。これにより、操作レバー１を起立させた中立状態から（図１参照）、一方の方向に操作レバー１を傾動したときに（図１の想像線参照）、操作レバー１の他端部の直線運動を規制できる。
【００５６】
図１又は図３を参照して、操作レバー１を一方の方向に傾倒した状態から（図１の想像線参照）、操作レバー１を中立状態に復帰操作するときに、操作レバー１の他端部が第１誘導路５１ｄの端縁５１１に当接するので（図３参照）、復帰方向に沿って、意図することなく、操作レバー１を他方の方向に傾倒操作することを抑制できる。
【００５７】
図３を参照すると、第１誘導路５１ｄの幅ｗ２は、操作レバー１の他端部に形成された幅Ｄより十分に大きく形成されている。これにより、操作レバー１を起立させた中立状態から（図２参照）、前記一方の方向と直交する方向に操作レバー１が傾動したときに（図７参照）、操作レバー１の他端部を誘導できる。
【００５８】
図３を参照すると、第２ガイド穴６１は、第２規制路６１ｃと第２誘導路６１ｄをクランク状に連通している。第２規制路６１ｃの幅ｗ３は、操作レバー１の他端部に形成された幅Ｄより僅かに大きく形成されている。これにより、操作レバー１を起立させた中立状態から（図２参照）、前記一方の方向と直交する方向に操作レバー１を傾動したときに（図７参照）、操作レバー１の他端部の直線運動を規制できる。
【００５９】
図２又は図３及び図７を参照して、操作レバー１を一方の方向と直交する方向に傾倒した状態から（図７参照）、操作レバー１を中立状態に復帰操作するときに、操作レバー１の他端部が第２誘導路６１ｄの端縁６１１に当接するので（図３参照）、復帰方向に沿って、意図することなく、操作レバー１を他方の方向に傾倒操作することを抑制できる。つまり、操作レバー１は、Ｌ字状の第１ガイド穴５１の外側に形成された端縁５１１で他端部側への傾動が抑制されると共に、Ｌ字状の第２ガイド穴６１の外側に形成された端縁６１１で他端部側への傾動が抑制される。
【００６０】
図３を参照すると、第２誘導路６１ｄの幅ｗ４は、操作レバー１の他端部に形成された幅Ｄより十分に大きく形成されている。これにより、操作レバー１を起立させた中立状態から（図１参照）、一方の方向に操作レバー１を傾動したときに（図１の想像線参照）、操作レバー１の他端部を誘導できる。
【００６１】
図３又は図５を参照すると、第１ガイド板５は、第１突起１１ｔに向かって突出した一組の台形第状の第１山部５ｍ・５ｍを上面に形成している。一方、第２ガイド板６は、第２突起１２ｔに向かって突出した一組の第２山部６ｍ・６ｍを上面に形成している。
【００６２】
図１又は図２及び図５を参照すると、操作レバー１が中立状態のときは、圧縮コイルばね２ｓに付勢されて、第１突起１１ｔが一組の第１山部５ｍ・５ｍの間の第１谷部５ｃに係合し（図３参照）、第２突起１２ｔが一組の第２山部６ｍ・６ｍの間の第２谷部６ｃに係合しているので（図３参照）、操作レバー１の起立姿勢を維持できる。
【００６３】
図１又は図５を参照して、圧縮コイルばね２ｓに抗して、操作レバー１を引き上げ、操作レバー１を一方の方向に傾動した後に、操作レバー１を解放すると、第１突起１１ｔが一方の第１山部５ｍに係合して、第１の傾倒姿勢を維持できる（図６参照）。
【００６４】
図２又は図７を参照して、圧縮コイルばね２ｓに抗して、操作レバー１を引き上げ、操作レバー１を一方の方向と直交する方向に傾動した後に、操作レバー１を解放すると、第２突起１２ｔが一方の第２山部６ｍに係合して、第２の傾倒姿勢を維持できる（図７参照）。
【００６５】
図１から図７を参照すると、実施形態によるトグルスイッチ１０は、圧縮コイルばね２ｓに抗して、操作レバー１を引き上げた後に解放すると、第１突起１１ｔが一組の第１山部５ｍ・５ｍの間の第１谷部５ｃに係合すると共に、第２突起１２ｔが一組の第２山部６ｍ・６ｍの間の第２谷部６ｃに係合して、操作レバー１を中立状態にロックするロック機構を備えている。
【００６６】
［トグルスイッチの作用］
次に、実施形態によるトグルスイッチ１０の作用及び効果を説明する。
【００６７】
図１から図７を参照すると、トグルスイッチ１０は、操作レバー１を起立させた中立状態から、一方の方向に操作レバー１が傾動するように、操作レバー１の他端部側を規制する第１ガイド穴５１を開口した第１ガイド板５と、操作レバー１を起立させた中立状態から、一方の方向と直交する方向に操作レバー１が傾動するように、操作レバー１の他端部側を規制する第２ガイド穴６１を開口した第２ガイド板６を備えているので、一方の方向に傾倒した操作レバー１を中立状態に復帰操作するときに、復帰方向に沿って、意図することなく、操作レバー１を他方の方向に傾倒操作することを抑制できる。
【００６８】
図１から図７を参照すると、トグルスイッチ１０は、操作レバー１を起立させた中立状態と、操作レバー１を一方の方向に傾倒させた第１の傾倒姿勢と、操作レバー１を一方の方向と直交する方向に傾倒させた第２の傾倒姿勢を維持可能なロック機構を備えているので、操作レバー１の姿勢から回路の切り換えを容易に確認できる。
【００６９】
実施形態によるトグルスイッチ１０は、各操作ポジションにおいて保持型の中立オフスイッチを開示したが、実施形態に限定されることなく、単極双投型スイッチへの展開も考えられる。又、実施形態によるトグルスイッチ１０は、操作レバーがＬ字状に移動する実施形態を開示したが、操作レバーがＶ字状に移動する事例も考えられる。
【００７０】
本発明によるトグルスイッチは、次のような効果が期待される。
（ア）一方の方向に傾倒した操作レバーを復帰方向に沿って、意図することなく、操作レバーを他方の方向に傾倒操作することを抑制できる。
（イ）中立状態又は傾倒状態を確実に識別できる。
（ウ）操作レバーの傾倒方向を容易に確認できる。
（オ）通常のトグルスイッチの操作に起因する誤操作を抑制できる。
【００７１】
本発明によるトグルスイッチは、誤操作を抑制する好適な実施形態を開示したが、中立オフ型のシーソースイッチへの適用が期待できる。本発明によるトグルスイッチは、誤操作に起因する作業時間の遅延を抑制でき、作業時間の短縮が期待できる。
【符号の説明】
【００７２】
１  操作レバー
１ａ  スライドシャフト
１ｇ  グリップ
２  スリーブ
３  ケース
４  揺動端子
５  第１ガイド板
６  第２ガイド板
１０  トグルスイッチ
１１  球状部
５１  第１ガイド穴
６１  第２ガイド穴
【図１】
0005964336.tif 000002
【図２】
0005964336.tif 000003
【図３】
0005964336.tif 000004
【図４】
0005964336.tif 000005
【図５】
0005964336.tif 000006
【図６】
0005964336.tif 000007
【図７】
0005964336.tif 000008
【図８】
0005964336.tif 000009